(57)【要約】  冷蔵庫は、内箱と外箱とで囲まれた内部に断熱材が充填されて成り、前面側が開口した冷蔵庫本体と、冷蔵庫本体の庫内を仕切り、上下方向に沿って複数段の貯蔵室を形成する仕切り板と、冷媒を圧縮する圧縮機と、冷蔵庫本体内に設置され、冷気を生成する冷却器と、冷蔵庫本体内に設置され、冷却器によって生成された冷気を各貯蔵室に供給するファンと、を備えている。冷却器とファンとを収納する冷却器室が、複数段の貯蔵室のうち１段の貯蔵室の背面側であって、上下に隣接する仕切り板の間に形成されている。
2018138837.tif 000002
【特許請求の範囲】
【請求項１】
内箱と外箱とで囲まれた内部に断熱材が充填されて成り、前面側が開口した冷蔵庫本体と、
前記冷蔵庫本体の庫内を仕切り、上下方向に沿って複数段の貯蔵室を形成する仕切り板と、
冷媒を圧縮する圧縮機と、
前記冷蔵庫本体内に設置され、冷気を生成する冷却器と、
前記冷蔵庫本体内に設置され、前記冷却器によって生成された冷気を各貯蔵室に供給するファンと、を備え、
前記冷却器と前記ファンとを収納する冷却器室が、前記複数段の貯蔵室のうち１段の貯蔵室の背面側であって、上下に隣接する前記仕切り板の間に形成されている、冷蔵庫。
【請求項２】
前記複数段の貯蔵室は、
庫内温度が０℃未満の第１設定温度に設定された上段冷凍貯蔵室と、
庫内温度が０℃未満の第２設定温度に設定された下段冷凍貯蔵室と、
庫内温度が前記第１設定温度及び前記第２設定温度よりも高い第３設定温度に設定され、前記上段冷凍貯蔵室と前記下段冷凍貯蔵室とに挟まれて配置された第１冷蔵貯蔵室と、を有し、
前記冷却器室は、前記上段冷凍貯蔵室又は前記下段冷凍貯蔵室の背面側であって、上下に隣接する前記仕切り板の間に形成されている、請求項１に記載の冷蔵庫。
【請求項３】
前記圧縮機は、前記複数段の貯蔵室のうち、最下段に配置された貯蔵室の後方側に設けられた機械室内に収納されており、
前記機械室は、前記最下段に配置された貯蔵室の上部を仕切る仕切り板の下面と、前記最下段に配置された貯蔵室の底面との間に立設された仕切り壁によって区画されている、請求項１又は２に記載の冷蔵庫。
【請求項４】
前記圧縮機は、前記複数段の貯蔵室のうち、最上段に配置された貯蔵室の後方側に設けられた機械室内に収納されている、請求項１又は２に記載の冷蔵庫。
【請求項５】
前記複数段の貯蔵室は、０℃未満の第１設定温度、及び０℃未満の第２設定温度よりも高い第４設定温度に庫内温度が設定された第２冷蔵貯蔵室が、最上段に配置されており、
前記圧縮機は、前記第２冷蔵貯蔵室の後方側に設けられた前記機械室内に収納されている、請求項４に記載の冷蔵庫。
【発明の詳細な説明】
【技術分野】
【０００１】
本発明は、温度帯の異なる複数の貯蔵室を、使用者が使いやすい配置とした冷蔵庫に関するものである。
【背景技術】
【０００２】
従来、冷蔵庫では、例えば特許文献１に開示された冷蔵庫のように、外郭を構成する冷蔵庫本体の庫内を仕切り板で上下方向に仕切って温度帯の異なる複数段の貯蔵室を形成した構成が知られている。貯蔵室は、仕切り板によって上から順に冷蔵庫、第１の冷凍室、野菜室、第２の冷凍室に仕切られており、使用者の使い勝手の良さを考慮した構成となっている。また、冷蔵庫には、冷気を生成する冷却器と、冷却器によって生成された冷気を各貯蔵室に供給するファンとを収納する冷却器室が、貯蔵室の背面側に配置されている。特許文献１の冷蔵庫の場合では、冷却器室が野菜室と冷凍室とを跨がるように配置されている。
【先行技術文献】
【特許文献】
【０００３】
【特許文献１】特許第３２１２９５４号公報
【発明の概要】
【発明が解決しようとする課題】
【０００４】
特許文献１に開示された冷蔵庫では、温度帯の異なる冷凍室と野菜室とを跨がるような配置で冷却器室が設けられているので、冷却器室のスペースが大きくなる分だけ、冷凍室及び野菜室の貯蔵容量が小さくなる。また、この冷蔵庫では、冷却器室の冷気が野菜室に伝わらないように、冷却器室と野菜室とを仕切る仕切り壁を分厚くしてしっかりと断熱する必要がある。しかし、仕切り壁を分厚くすると、野菜室の貯蔵容積が小さくなり、使い勝手が悪くなる虞がある。【０００５】
本発明は、上記のような課題を解決するためになされたものであり、温度帯の異なる複数段の貯蔵室を、使用者が使いやすい配置とした構成であっても、冷却器室と各貯蔵室とを効率良く断熱して、貯蔵室の貯蔵容量を大きく確保することができる冷蔵庫を提供することを目的とする。
【課題を解決するための手段】
【０００６】
本発明に係る冷蔵庫は、内箱と外箱とで囲まれた内部に断熱材が充填されて成り、前面側が開口した冷蔵庫本体と、前記冷蔵庫本体の庫内を仕切り、上下方向に沿って複数段の貯蔵室を形成する仕切り板と、冷媒を圧縮する圧縮機と、前記冷蔵庫本体内に設置され、冷気を生成する冷却器と、前記冷蔵庫本体内に設置され、前記冷却器によって生成された冷気を各貯蔵室に供給するファンと、を備え、前記冷却器と前記ファンとを収納する冷却器室が、前記複数段の貯蔵室のうち１段の貯蔵室の背面側であって、上下に隣接する前記仕切り板の間に形成されているものである。
【発明の効果】
【０００７】
本発明に係る冷蔵庫によれば、冷却器とファンとを収納する冷却器室が、複数段の貯蔵室のうち１段の貯蔵室の背面側であって、上下に隣接する仕切り板の間に形成されているので、冷却器室のスペースを小さくすることができる分だけ、貯蔵室の貯蔵容量を大きくすることができる。また、本発明に係る冷蔵庫は、冷却器室を冷凍貯蔵室の背面側に配置することで、従来の冷蔵庫のように、冷蔵貯蔵室と冷却器室とを仕切る仕切り壁を設ける必要がない。よって、本発明に係る冷蔵庫は、冷却器室と各貯蔵室とを効率良く断熱することができ、冷蔵貯蔵室と冷却器室とを仕切る仕切り壁を省略できることで、貯蔵室の貯蔵容量を大きくすることができる。
【図面の簡単な説明】
【０００８】
【図１】本発明の実施の形態１に係る冷蔵庫の正面図である。
【図２】図１に示したＡ−Ａ線矢視断面図である。
【図３】本発明の実施の形態１に係る冷蔵庫の上段冷凍貯蔵室の変形例を概略的に示した拡大断面図である。
【図４】本発明の実施の形態１に係る冷蔵庫の冷却器室の変形例を概略的に示した拡大断面図である。
【図５】従来の冷蔵庫の内部構造を示した断面図である。
【図６】本発明の実施の形態２に係る冷蔵庫の内部構造を示した断面図である。
【図７】本発明の実施の形態３に係る冷蔵庫の内部構造を示した断面図である。
【発明を実施するための形態】
【０００９】
以下、図面を参照して、本発明の実施の形態について説明する。なお、各図中、同一又は相当する部分には、同一符号を付して、その説明を適宜省略又は簡略化する。また、各図に記載の構成について、その形状、大きさ、及び配置等は、本発明の範囲内で適宜変更することができる。
【００１０】
実施の形態１．
図１は、本発明の実施の形態１に係る冷蔵庫の正面図である。図２は、図１に示したＡ−Ａ線矢視断面図である。図３は、本発明の実施の形態１に係る冷蔵庫の上段冷凍貯蔵室の変形例を概略的に示した拡大断面図である。図４は、本発明の実施の形態１に係る冷蔵庫の冷却器室の変形例を概略的に示した拡大断面図である。
【００１１】
実施の形態１に係る冷蔵庫１００は、図１及び図２に示すように、前面に開口を有し、内部を複数の仕切り板１０、１１、１２で仕切られて複数段の貯蔵室が設けられた冷蔵庫本体１を備えている。冷蔵庫本体１には、冷蔵庫１００の内側である樹脂製の内箱１３と、冷蔵庫１００の外側である鋼板製の外箱１４とで密封された空間が形成されている。詳細に図示することは省略したが、内箱１３と外箱１４とで密閉された内部には、真空断熱材が設置され、ウレタンフォームなどの発泡断熱材が充填されている。
【００１２】
複数段の貯蔵室は、庫内温度が０℃未満の第１設定温度、又は庫内温度が０℃未満の第２設定温度に設定された冷凍貯蔵室と、庫内温度が第１設定温度及び第２設定温度よりも高い第３設定温度（例えば０℃以上）、又は庫内温度が第１設定温度及び第２設定温度よりも高い第４設定温度（例えば０℃以上）に設定された冷蔵貯蔵室と、を有している。具体的には、貯蔵室は、上から順に冷蔵室２、上段冷凍貯蔵室３、野菜室５、下段冷凍貯蔵室６で構成されている。なお、野菜室５が、本願でいう第１冷蔵貯蔵室に相当し、冷蔵室２が本願でいう第２冷蔵貯蔵室に相当する。上段冷凍貯蔵室３は、図１に示すように、冷凍室４ａと貯氷室４ｂとを並列させた構成である。実施の形態１の冷蔵庫１００の場合、冷蔵室２と野菜室５とが冷蔵貯蔵室であり、上段冷凍貯蔵室３、下段冷凍貯蔵室６が冷凍貯蔵室である。各貯蔵室は、設定可能な温度帯（設定温度帯）によって区別されており、例えば、冷蔵室２が約３℃、上段冷凍貯蔵室３及び下段冷凍貯蔵室６が約−１２℃〜−１８℃、野菜室５が約５℃にそれぞれ設定可能となっている。なお、上段冷凍貯蔵室３の冷凍室４ａと貯氷室４ｂは、異なる温度帯で構成してもよい。
【００１３】
なお、冷蔵室２の前面開口部には、回転式の冷蔵室右扉２０ａ及び冷蔵室左扉２０ｂが開閉自在に取り付けられている。また、冷凍室４ａの前面開口部には、引き出し式の冷凍室扉３０、貯氷室４ｂの前面開口部には、引き出し式の貯氷室扉４０がそれぞれ開閉自在に取り付けられている。更に、野菜室５の前面開口部には、引き出し式の野菜室扉５０、下段冷凍貯蔵室６の前面開口部には、下段冷凍貯蔵室扉６０がそれぞれ開閉自在に取り付けられている。各扉には、室内冷気の外部流出を防ぐガスケットが、内側周縁に沿って取り付けられている。また、各貯蔵室の設定温度はこれに限るものではなく、設置場所及び内容物に応じて適宜設定を変更することができる。
【００１４】
上段冷凍貯蔵室３の冷凍室４ａには、食品を収納する収納ケース３１が設置されている。冷凍室４ａは、例えば弁当用の冷凍食品又はアイスクリーム等の使用頻度が比較的高い食品が収納される。上段冷凍貯蔵室３の後方側には、仕切り壁１５によって仕切られた冷却器室７が設けられている。冷却器室７には、−２０〜−３０℃程度の冷気を生成する冷却器７０と、その冷気を各室に供給するファン７１とが、上下に並べて収納されている。冷却器室７と各貯蔵室は、冷却器室７で生成した冷気を各貯蔵室に送るための風路９ａ〜９ｄが設けられて連通されている。冷却器室７は、上段冷凍貯蔵室３と共に、冷蔵室２との間が仕切り板１０によって仕切られており、野菜室５との間が仕切り板１１とによって仕切られている。
【００１５】
なお、実施の形態１の冷蔵庫１００は、図３に示すように、上段冷凍貯蔵室３の高さを高くして、上段冷凍貯蔵室３の貯蔵空間を大きくした構成でもよい。この場合、上段冷凍貯蔵室３の冷凍室４ａは、内部に２段の引き出しケース３２、３３を用意すれば、整理性も向上し、使い勝手が格段に向上する。また、冷凍室４ａに引き出しケース３２、３３を上下に２段設置する場合には、上側の引き出しケース３２を約−７℃のソフトフリージングゾーン、下側の引き出しケース３３を約−１８℃の本格冷凍ゾーンとする等、上下の引き出しケースで異なる調節温度とすれば、より一層、使用者の生活パターンに合わせた使い方が可能となる。
【００１６】
また、実施の形態１の冷蔵庫１００は、図４に示すように、上段冷凍貯蔵室３の横幅を広くして、冷却器７０とファン７１とを左右に並べて配置した構成でもよい。この場合、上下に冷却器７０とファン７１を配置した構成と比べて、高さのある大きな冷却器７０を使用することも可能なので、冷却能力の向上を図ることができ、使い勝手の良い構成とすることができる。
【００１７】
野菜室５は、腰を屈めずに出し入れが可能な場所に配置されている。野菜室５にも、野菜等を収納する収納ケース５１が設置されている。野菜室５の直上には、冷蔵室２と上段冷凍貯蔵室３が配置されている。つまり、この冷蔵庫１００は、温度帯の異なる使用頻度の高い貯蔵室が、腰を屈めずに使用できる場所に配置され、使い勝手の良いレイアウトになっている。
【００１８】
下段冷凍貯蔵室６には、食品を収納することができる収納ケース６１が設置されている。下段冷凍貯蔵室６には、例えば買い置きした肉及び魚等の素材食品を長期保存するために設けられている。つまり、この冷蔵庫１００は、上段冷凍貯蔵室３と下段冷凍貯蔵室６とで、使用目的が異なる食品を分別して収納することができるので、使い勝手がよい。
【００１９】
実施の形態１の冷蔵庫１００は、一般的な冷蔵庫と同じように、圧縮機８０を用いた冷媒サイクルによって生成した冷気を、風路９ａ〜９ｄを通じて各貯蔵室に供給し、各貯蔵室を冷却する構成である。圧縮機８０は、冷蔵庫１００の底部付近であって、下段冷凍貯蔵室６の後方側に設けられた機械室８に設置される。機械室８は、冷蔵庫本体１の外部に設けられており、下段冷凍貯蔵室６との間が仕切り壁１６で仕切られている。圧縮機８０で圧縮された高温で高圧の冷媒ガスは、図示省略の凝縮器で冷却されて高圧の液冷媒になり、さらに図示省略の減圧装置（通常は、キャピラリーチューブ）で減圧されて低圧の二相冷媒になる。低圧の二相冷媒は、冷却器７０（蒸発器）で冷蔵庫１００の各貯蔵室を冷却することで、低圧のガス冷媒となり、圧縮機８０に戻る。冷蔵庫１００では、上記冷媒サイクルが繰り返し行われている。
【００２０】
図５は、従来の冷蔵庫の内部構造を示した断面図である。図５に示すように、従来の冷蔵庫１００Ａも、貯蔵室が上から順に、冷蔵室２、上段冷凍貯蔵室３、野菜室５、下段冷凍貯蔵室６で構成されている。冷却器室７は、上段冷凍貯蔵室３と野菜室５とを跨がるような配置で設けられている。冷却器室７と上段冷凍貯蔵室３との間には、仕切り壁１５が設けられている。また、冷却器室７と野菜室５との間には、仕切り壁１７が設けられている。この冷蔵庫１００Ａは、５℃に設定される野菜室５の後方側に、−２０℃〜−３０℃に設定される冷却器室７が設けられているため、冷却器室７の冷気が野菜室５に伝わらないように、冷却器室７と野菜室５とを仕切る仕切り壁１７を分厚くしてしっかりと断熱する必要がある。しかし、仕切り壁１７を分厚くすると、野菜室５の貯蔵容積が小さくなり、使い勝手が悪くなる。
【００２１】
本発明の実施の形態１に係る冷蔵庫１００は、庫内温度が０℃未満の第１設定温度に設定された冷凍貯蔵室（上段冷凍貯蔵室３）と、庫内温度が０℃未満の第２設定温度に設定された冷凍貯蔵室（下段冷凍貯蔵室６）と、庫内温度が第１設定温度及び第２設定温度よりも高い第３設定温度に設定された冷蔵貯蔵室（野菜室５）と、を有している。そして、この冷蔵庫１００は、冷却器７０とファン７１とを収納する冷却器室７が、１段の貯蔵室である上段冷凍貯蔵室３の背面側であって、上下に隣接する仕切り板１０、１１の間に形成されているので、冷却器室７のスペースを小さくすることができ、その分貯蔵室の貯蔵容量を大きくすることができる。また、この冷蔵庫１００は、冷却器室７を上段冷凍貯蔵室３の背面側に配置することで、従来の冷蔵庫のように、冷蔵貯蔵室と冷却器室とを仕切る仕切り壁を設ける必要がない。よって、この冷蔵庫１００は、冷却器室７と各貯蔵室とを効率良く断熱することができ、冷蔵貯蔵室と冷却器室７とを仕切る仕切り壁１７を省略できることで、貯蔵室の貯蔵容量を大きくすることができる。
【００２２】
なお、図示した実施の形態１の冷蔵庫１００では、冷却器室７が上段冷凍貯蔵室３の背面側であって、上下に隣接する仕切り板１０、１１の間に形成されている構成を示したが、この限りではない。冷却器室７は、下段冷凍貯蔵室６の背面側であって、上下に隣接する仕切り板の間に形成された構成でもよい。また、冷却器室７は、冷凍冷蔵室の背面側に設けることが好ましいが、複数段の貯蔵室のうち１段の貯蔵室の背面側であって、上下に隣接する仕切り板の間に形成された構成であればよい。つまり、冷却器室７は、野菜室５又は冷蔵室２の背面側に設けた構成でもよい。但し、この場合では、冷却器室７と野菜室５又は冷蔵室２とを仕切る仕切り壁を分厚くしてしっかりと断熱する必要がある。
【００２３】
実施の形態２．
次に、本発明の実施の形態２に係る冷蔵庫１０１を、図６に基づいて説明する。図６は、本発明の実施の形態２に係る冷蔵庫の内部構造を示した断面図である。なお、実施の形態１で説明した冷蔵庫と同一の構成については、同一の符号を付して、その説明を適宜省略する。
【００２４】
図６に示すように、実施の形態２の冷蔵庫１０１も実施の形態１に係る冷蔵庫１００と同様に、仕切り板１０、１１、１２で仕切られて形成された複数段の貯蔵室が、上から順に冷蔵室２、上段冷凍貯蔵室３、野菜室５、下段冷凍貯蔵室６で構成されている。上段冷凍貯蔵室３の後方側には、仕切り壁１５によって仕切られた冷却器室７が設けられている。冷却器室７には、冷却器７０とファン７１とが、上下に並べて収納されている。また、下段冷凍貯蔵室６の後方側には、冷媒を圧縮する圧縮機８０が設置されている。
【００２５】
圧縮機８０は、最下段に配置された下段冷凍貯蔵室６の後方側に設けられた機械室８内に収納されている。機械室８は、下段冷凍貯蔵室６と野菜室５との間を仕切る仕切り板１２の下面と、下段冷凍貯蔵室６の底面との間に立設された仕切り壁１６で区画されている。機械室８と野菜室５との間は、下段冷凍貯蔵室６と野菜室５との間を仕切る仕切り板１２によって、下段冷凍貯蔵室６と共に共通に仕切られている。
【００２６】
ここで、例えば図２に示した実施の形態１の冷蔵庫１００のように、機械室８と下段冷凍貯蔵室６との間を仕切る仕切り壁１６の上端が、仕切り板１２の下面に到達していないと、機械室８の上面を区画する仕切り板が、下段冷凍貯蔵室６の内部に位置してしまい、食品等を貯蔵できない無駄な空間が存在する。
【００２７】
実施の形態２の冷蔵庫１０１では、機械室８が、最下段に配置された貯蔵室（下段冷凍貯蔵室６）の上部を仕切る仕切り板１２の下面と、最下段に配置された貯蔵室（下段冷凍貯蔵室６）の底面との間に立設された仕切り壁１６によって区画された構成なので、冷蔵庫本体１の内部空間を食品貯蔵スペースとして無駄なく使用することができる。
【００２８】
なお、実施の形態２の冷蔵庫１０１は、機械室８と野菜室５との間を、仕切り板１２で仕切る構成に限定されない。機械室８と野菜室５との間は、仕切り板１２とは別部材から成る仕切り板で仕切ってもよい。この場合、別部材から成る仕切り板は、その上面が仕切り板１２の上面とほぼ面一となるように設けるものとする。
【００２９】
また、図示した実施の形態２の冷蔵庫１０１では、最下段に配置された貯蔵室が下段冷凍貯蔵室６である場合を例に説明したが、この限りではない。実施の形態２の冷蔵庫１０１は、最下段に配置された貯蔵室が冷蔵貯蔵室であり、該冷蔵貯蔵室の後方側に機械室８を設けて圧縮機８０を収納した構成でもよい。
【００３０】
実施の形態３．
次に、本発明の実施の形態３に係る冷蔵庫を、図７に基づいて説明する。図７は、本発明の実施の形態３に係る冷蔵庫の内部構造を示した断面図である。なお、実施の形態１で説明した冷蔵庫と同一の構成については、同一の符号を付して、その説明を適宜省略する。
【００３１】
図７に示すように、実施の形態３の冷蔵庫１０２も実施の形態１に係る冷蔵庫１００と同様に、仕切り板１０、１１、１２で仕切られて形成された複数段の貯蔵室が、上から順に冷蔵室２、上段冷凍貯蔵室３、野菜室５、下段冷凍貯蔵室６で構成されている。上段冷凍貯蔵室３の後方側には、仕切り壁１５によって仕切られた冷却器室７が設けられている。冷却器室７には、冷却器７０とファン７１とが、上下に並べて収納されている。
【００３２】
この冷蔵庫１０２は、最上段に配置された冷蔵室２の後方側に、冷媒を圧縮する圧縮機８０が設置されていることを特徴としている。圧縮機８０は、冷蔵室２の後方側に設けられた機械室８内に収納されている。冷蔵室２は、例えば３℃程度の庫内温度で冷却されるため、他の貯蔵室と比較して圧縮機８０からの影響を受け難い。そのため、この冷蔵庫１０２は、圧縮機８０を収納するために区画された機械室８と、冷蔵室２とを仕切る仕切り壁１８の厚さを薄くしても十分に断熱することができるため、その仕切り壁１８を薄くできる分だけ、貯蔵室の貯蔵容量の大きくすることができる。
【００３３】
なお、図示した実施の形態３の冷蔵庫１０２では、最上段に配置された貯蔵室が冷蔵室２である場合を例に説明したが、この限りではない。実施の形態３の冷蔵庫１０２は、最上段に配置された貯蔵室が冷凍貯蔵室であり、該冷凍貯蔵室の後方側に機械室８を設けて圧縮機８０を収納した構成でもよい。
【００３４】
以上に本発明を実施の形態に基づいて説明したが、本発明は上述した実施の形態の構成に限定されるものではない。例えば、複数段の貯蔵室は、上から順に冷蔵室２、上段冷凍貯蔵室３、野菜室５、下段冷凍貯蔵室６とした構成を示したが、他の構成であってもよい。要するに、いわゆる当業者が必要に応じてなす種々なる変更、応用、利用の範囲をも本発明の要旨（技術的範囲）に含むことを念のため申し添える。
【符号の説明】
【００３５】
１  冷蔵庫本体、２  冷蔵室、３  上段冷凍貯蔵室、４ａ  冷凍室、４ｂ  貯氷室、５  野菜室、６  下段冷凍貯蔵室、７  冷却器室、８  機械室、９ａ、９ｂ、９ｃ、９ｄ  風路、１０、１１、１２  仕切り板、１３  内箱、１４  外箱、１５、１６、１７、１８  仕切り壁、２０ａ  冷蔵室右扉、２０ｂ  冷蔵室左扉、３０  冷凍室扉、３１  収納ケース、３２、３３  引き出しケース、４０  貯氷室扉、５０  野菜室扉、５１  収納ケース、６０  下段冷凍貯蔵室扉、６１  収納ケース、７０  冷却器、７１  ファン、８０  圧縮機、１００、１０１、１０２、１００Ａ  冷蔵庫。
【図１】
2018138837.tif 000003
【図２】
2018138837.tif 000004
【図３】
2018138837.tif 000005
【図４】
2018138837.tif 000006
【図５】
2018138837.tif 000007
【図６】
2018138837.tif 000008
【図７】
2018138837.tif 000009
【国際調査報告】
2018138837.tif 000010
2018138837.tif 000011
2018138837.tif 000012
2018138837.tif 000013